(57)【要約】  本発明は、通信ネットワークエンティティ（１５）と前記移動通信ネットワークエンティティ（１５）に無線インタフェースを介してデータを転送する少なくとも１つのユーザ装置（１８）とを含む移動通信ネットワークにおいて効率的な無線リソース割り当てを実現するための方法および装置に関するものである。前記少なくとも１つのユーザ装置（１８）から第１の転送データが受信されると、前記第１の転送データは復号され、該復号の結果に基づくメッセージ（ＡＣＫ／ＮＡＣＫ）が受信した前記第１の転送データの情報を含むダウンリンクチャネル（１３）に送信される。前記少なくとも１つのユーザ装置（１８）から第２の転送データが受信されると、前記ダウンリンクチャネル（１３）の電力は、前記復号の結果と受信した前記第２の転送データに含まれる内容とに基づいて調整される。
2009517967.tif 000002
【特許請求の範囲】
【請求項１】
通信ネットワークエンティティと該通信ネットワークエンティティに無線インタフェースを介してデータを転送する少なくとも１つのユーザ装置とを含む移動通信ネットワークにおいて効率的な無線リソース割り当てを実現するための方法であって、該方法は、
前記少なくとも１つのユーザ装置から第１の転送データを受信するステップと、
前記第１の転送データを復号し、該復号の結果を取得するステップと、
前記少なくとも１つのユーザ装置から第２の転送データを受信するステップと、
を備え、該方法は、
受信した前記第１の転送データの復号の前記結果と前記第２の転送データの内容とに基づいて、ダウンリンクチャネルの送信電力を調整するステップをさらに備えることを特徴とする方法。
【請求項２】
受信した前記第１の転送データの復号の前記結果に基づいて、前記ダウンリンクチャネルで前記少なくとも１つのユーザ装置にメッセージを送信するステップをさらに備えることを特徴とする請求項１に記載の方法。
【請求項３】
送信電力を調整する前記ステップは、受信された前記第２の転送データの前記内容が期待される内容と異なるとき、前記ダウンリンクチャネルの送信電力を増加させるステップを備えることを特徴とする請求項２に記載の方法。
【請求項４】
受信された前記第２の転送データの再送シーケンス番号（ＲＳＮ）に注目することによって、受信された前記第２の転送データの前記内容が期待される内容と異なるか否かを判定するステップをさらに備えることを特徴とする請求項３に記載の方法。
【請求項５】
前記送信電力は、所定のステップ幅で増加されることを特徴とする請求項３に記載の方法。
【請求項６】
送信された前記メッセージは肯定応答メッセージ（ＡＣＫ）であり、それにより受信された前記第２の転送データが受信された前記第１の転送データの再送である場合に前記送信電力は増加されることを特徴とする請求項３に記載の方法。
【請求項７】
送信された前記メッセージは否定応答メッセージ（ＮＡＣＫ）であり、それにより受信された前記第２の転送データが受信された前記第１の転送データと異なる場合に前記送信電力は増加されることを特徴とする請求項３に記載の方法。
【請求項８】
受信された前記第２の転送データの前記内容が期待される内容と異なるとき、エラー報告を導出するステップと、
上位の通信ネットワークエンティティに前記報告を送信するステップと、
をさらに備えることを特徴とする請求項１に記載の方法。
【請求項９】
送信電力を調整する前記ステップは、受信された前記第２の転送データの前記内容が期待される内容と一致するとき、前記ダウンリンクチャネルの送信電力を所定のステップ幅で減少させるステップを備えることを特徴とする請求項２に記載の方法。
【請求項１０】
受信された前記第２の転送データの再送シーケンス番号（ＲＳＮ）に注目することによって、受信された前記第２の転送データの前記内容が期待される内容と異なるか否かを判定するステップをさらに備えることを特徴とする請求項９に記載の方法。
【請求項１１】
前記送信電力は、所定のステップ幅で減少されることを特徴とする請求項９に記載の方法。
【請求項１２】
送信された前記メッセージは肯定応答メッセージ（ＡＣＫ）であり、それにより受信された前記第２の転送データが受信された前記第１の転送データと異なる場合に前記送信電力は減少されることを特徴とする請求項９に記載の方法。
【請求項１３】
送信された前記メッセージは否定応答メッセージ（ＮＡＣＫ）であり、それにより受信された前記第２の転送データが受信された前記第１の転送データの再送である場合に前記送信電力は増加されることを特徴とする請求項９に記載の方法。
【請求項１４】
前記メッセージが送信された前記ダウンリンクチャネルとは異なるさらなるダウンリンクチャネルの送信電力を調整するステップをさらに備えることを特徴とする請求項２に記載の方法。
【請求項１５】
移動通信ネットワークにおいて効率的な無線リソース割り当てを実現するための通信ネットワークエンティティ（１５）内の装置であって、前記移動通信ネットワークは前記通信ネットワークエンティティ（１５）と該通信ネットワークエンティティ（１５）に無線インタフェースを介してデータを転送する少なくとも１つのユーザ装置（１８）とを含み、前記装置は、
前記少なくとも１つのユーザ装置から第１の転送データを受信する手段と、
前記第１の転送データを復号する手段および該復号の結果を取得する手段と、
前記少なくとも１つのユーザ装置から第２の転送データを受信する手段と、
を備え、該装置は、
受信した前記第１の転送データの復号の前記結果と前記第２の転送データとに基づいて、ダウンリンクチャネル（１３）の送信電力を調整する手段をさらに備えることを特徴とする装置。
【請求項１６】
受信した前記第１の転送データの復号の前記結果に基づいて、前記ダウンリンクチャネル（１３）で前記少なくとも１つのユーザ装置にメッセージを送信する手段をさらに備えることを特徴とする請求項１５に記載の装置。
【請求項１７】
送信電力を調整する前記手段は、受信された前記第２の転送データの前記内容が期待される内容と異なるとき、前記ダウンリンクチャネル（１３）の送信電力を増加させるよう構成されることを特徴とする請求項１６に記載の装置。
【請求項１８】
送信電力を調整する前記手段は、受信された前記第２の転送データの再送シーケンス番号（ＲＳＮ）に注目することによって、受信された前記第２の転送データの前記内容が期待される内容と異なるか否かを判定するよう構成されることを特徴とする請求項１７に記載の装置。
【請求項１９】
送信電力を調整する前記手段は、前記ダウンリンクチャネル（１３）の送信電力を所定のステップ幅で増加させるよう構成されることを特徴とする請求項１７に記載の装置。
【請求項２０】
送信された前記メッセージは肯定応答メッセージ（ＡＣＫ）であり、送信電力を調整する前記手段は、受信された前記第２の転送データが受信された前記第１の転送データの再送である場合に前記送信電力を増加させるよう構成されることを特徴とする請求項１７に記載の装置。
【請求項２１】
送信された前記メッセージは否定応答メッセージ（ＮＡＣＫ）であり、送信電力を調整する前記手段は、受信された前記第２の転送データが受信された前記第１の転送データと異なる場合に前記送信電力を増加させるよう構成されることを特徴とする請求項１７に記載の装置。
【請求項２２】
受信された前記第２の転送データの前記内容が期待される内容と異なるとき、エラー報告を導出する手段と、
上位の通信ネットワークエンティティ（１０）に前記報告を送信する手段と、
をさらに備えることを特徴とする請求項１５に記載の装置。
【請求項２３】
送信電力を調整する前記手段は、受信された前記第２の転送データの前記内容が期待される内容と一致するとき、前記ダウンリンクチャネル（１３）の送信電力を減少させるよう構成されることを特徴とする請求項１６に記載の装置。
【請求項２４】
送信電力を調整する前記手段は、受信された前記第２の転送データの再送シーケンス番号（ＲＳＮ）に注目することによって、受信された前記第２の転送データの前記内容が期待される内容と異なるか否かを判定するよう構成されることを特徴とする請求項２３に記載の装置。
【請求項２５】
送信電力を調整する前記手段は、前記ダウンリンクチャネル（１３）の送信電力を所定のステップ幅で減少させるよう構成されることを特徴とする請求項２３に記載の装置。
【請求項２６】
送信された前記メッセージは肯定応答メッセージ（ＡＣＫ）であり、送信電力を調整する前記手段は、受信された前記第２の転送データが受信された前記第１の転送データと異なる場合に前記送信電力を減少させるよう構成されることを特徴とする請求項２３に記載の装置。
【請求項２７】
送信された前記メッセージは否定応答メッセージ（ＮＡＣＫ）であり、送信電力を調整する前記手段は、受信された前記第２の転送データが受信された前記第１の転送データの再送である場合に前記送信電力を増加させるよう構成されることを特徴とする請求項２３に記載の装置。
【請求項２８】
送信電力を調整する前記手段は、前記メッセージが送信された前記ダウンリンクチャネル（１３）とは異なるさらなるダウンリンクチャネルの送信電力を調整するよう構成されることを特徴とする請求項１６に記載の装置。
【請求項２９】
前記上位の通信ネットワークエンティティは、無線ネットワークコントローラ（ＲＮＣ）（１０）であることを特徴とする請求項２２に記載の装置。
【請求項３０】
前記移動通信ネットワークは、広帯域符号分割多元接続（ＷＣＤＭＡ）ネットワークであることを特徴とする請求項１５に記載の装置。
【請求項３１】
前記通信ネットワークエンティティは、ノードＢ（１５）であることを特徴とする請求項１５に記載の装置。
【発明の詳細な説明】
【技術分野】
【０００１】
本発明は移動通信ネットワーク、特に、移動通信ネットワークの無線リソースを割り当てる装置およびその割り当て方法に関するものである。
【背景技術】
【０００２】
エラーのある転送（すなわち、受信エンドがコンテンツを復号することが出来ない転送試行）を取り扱うために、多くの通信システムにおいて再送プロトコルが使用されている。転送試行が失敗する場合、フィードバック・チャネルを介して受信エンドはによる送信エンドに通知する。あるタイプのフィードバック情報は転送試行が成功したか否かの指示を含んでいる。受信機は、成功した転送に対しては転送に肯定応答（ＡＣＫ）する一方で、成功しなかった転送試行に対して否定応答（ＮＡＣＫ）する。送信エンドは、再送および／または付加的冗長性が必要であるか否かを判定するためにフィードバック情報を使用する。
【０００３】
いくつかの場合、例えばソフトハンドオーバーにおいて符号分割多重アクセス方式（ＣＤＭＡ）システムのアップリンクでは、いくつかの受信装置（ノードＢ）が転送の受信に関係し得る。受信するノードＢからの受信試行は、広帯域符号分割多元接続（ＷＣＤＭＡ）仕様における無線ネットワークコントローラ（ＲＮＣ）のような集合装置に結合され、再送は何れの受信装置も受信が成功しなかった場合においてのみ必要となる。
【０００４】
ＣＤＭＡ標準（ＷＣＤＭＡおよびＣＤＭＡ２０００）を強化するための現在の提案において、より高速な再送を可能にするため、フィードバック情報（ＡＣＫ／ＮＡＣＫ）を直接ノードＢにおいて生成することが提案されている。受信に関係する各々の受電エンド（ノードＢ）は、復号試行の結果に依存してＡＣＫまたはＮＡＣＫを送信するための分離されたフィードバック・チャネルを有する。送信エンド（ユーザ装置）はＮＡＣＫが全受電エンドから取得される場合にのみ再送を実行する。ＡＣＫが受信装置の何れかから受信される場合、転送試行は成功したとみなされ、再送は実行されない。これは、個々の受信ユニットが復号が不可能でＮＡＣＫにより応答した場合であっても、結合送信の結果は成功することを意味する。
【０００５】
多くの場合において、ハイブリッド自動再送要求（ＨＡＲＱ）処理は”ソフト結合”を実行する。すなわち、受信の成功確率を増やすため再送された信号は以前の転送と結合される。この場合、全受信装置は、転送が以前の転送と結合されるべき再送であるか新しいデータに対応する初期転送であるかを知らなければならない。
【０００６】
全受信装置に結合結果を知らせるために、送信装置はは、各々の転送について再送または新規送信であるかを指示する。例えば、各々の転送と結合した再送シーケンス番号（ＲＳＮ）を送信することによってなされる。ＲＳＮは、全受信装置に各々の転送の転送番号を運ぶために用いられる。ＲＳＮが現在の転送が新規転送であることを示す場合、転送は前の転送と結合されない。ＲＳＮが現在の転送が再送であることを全受信装置に対して示す場合、転送は前に転送されたデータの反復および／または前に転送されたデータに関連した付加的な冗長性（検査ビット）である。
【０００７】
規格の以前の版（リリース）では、アップリンク転送の結合は、ＲＮＣにおいてなされる。少なくとも１つのノードＢが転送を復号できる場合、肯定応答（ＡＣＫ）がなされる。
【０００８】
ＷＣＤＭＡのための第３世代パートナーシッププロジェクト（３ＧＰＰ）で、現在標準化されている拡張アップリンクでは、復号に関係する各々のノードＢは、分離したＡＣＫ／ＮＡＣＫフィードバックを転送する。ユーザ装置は、例えば２つのノードＢからのフィードバック情報を考慮する。例えば、第１のノードＢは転送の受信が出来、フィードバックチャネルでユーザ装置にＡＣＫを送信し、一方で、第２のノードＢは受信に成功せず、ＮＡＣＫを送信する。ノードＢの何れかがＡＣＫを送信する場合、再送の必要はなく、ユーザ装置は再送しない。第１のノードＢが成功したか否かを第２のノードＢが知らない場合、ユーザ装置は第２のノードＢに通知しなければならないことに注意する。転送が成功していたので、ユーザ装置はＲＳＮをインクリメントし、次の転送と結合して同じ転送を送信する。このことにより、第２のノードＢは結合送信が成功し新規転送が以前のデータの再送でないことを知る。
【発明の開示】
【発明が解決しようとする課題】
【０００９】
再送プロトコルを安定させるため、ＡＣＫ／ＮＡＣＫ情報を運ぶフィードバックチャネルは信頼性が高くなければならない。シグナリング・エラーはプロトコル・エラーを生じ、遅延を増大させスループットを悪化させる。信頼性が高いフィードバック情報を達成するために、必要電力は本質的であり利用可能な電力が少ないときダウンリンク通信のパフォーマンスに影響を及ぼす。問題は、特に、いくつかの受信機が受信（ソフトハンドオーバー）に関係している状況において深刻である。この場合、信頼性の高い受信を保証するため、更なる電力をフィードバックチャネルに追加しなければならない。既存のソリューションは、これらの状況に対して、必要か否かに関わらず過度の準備や過剰な電源消費を気にせずに更なる電力を使用することである。そのため、ダウンリンク方向のデータに利用可能な電力がより少ない場合、ダウンリンク性能が低下することになる。
【００１０】
それゆえ、移動通信ネットワークにおいて効率的に無線リソース割り当てるための改良された方法および装置の必要性がある。
【課題を解決するための手段】
【００１１】
したがって、本発明は、通信ネットワークエンティティと該移動通信ネットワークエンティティに無線インタフェースを介してデータを転送する少なくとも１つのユーザ装置とを含む移動通信ネットワークにおいて効率的な無線リソース割り当てを実現するための改良された方法を提供することを目的とする。
【００１２】
この目的は、前記少なくとも１つのユーザ装置から第１の転送データを受信し、受信した前記第１の転送データの情報を含むダウンリンクチャネルでメッセージを送信し、前記少なくとも１つのユーザ装置から第２の転送データを受信し、送信した前記メッセージの内容と前記第２の転送データの内容とに基づいて、前記ダウンリンクチャネルの電力を調整する、方法により達成される。
【００１３】
本発明の方法の一態様では、受信された前記第２の転送データの前記内容が期待される内容と異なるとき、前記ダウンリンクチャネルの電力を増加させる。
【００１４】
本発明の方法の別の態様では、受信された前記第２の転送データの前記内容が期待される内容と一致するとき、前記ダウンリンクチャネルの電力を減少させる。
【００１５】
本発明の他の目的は、移動通信ネットワークにおいて効率的な無線リソース割り当てを実現するための通信ネットワークエンティティ内の改良された装置を提供することであり、前記移動通信ネットワークは前記通信ネットワークエンティティと該移動通信ネットワークエンティティに無線インタフェースを介してデータを転送する少なくとも１つのユーザ装置とを含む。
【００１６】
この他の目的は、前記少なくとも１つのユーザ装置から第１の転送データを受信する手段と、受信した前記第１の転送データの情報を含むダウンリンクチャネルでメッセージを送信する手段と、前記少なくとも１つのユーザ装置から第２の転送データを受信する手段と、送信した前記メッセージと受信した前記第２の転送データとに基づいて、前記ダウンリンクチャネルの電力を調整する手段と、を備える装置により達成される。
【００１７】
本発明の装置の一態様では、電力を調整する前記手段は、受信された前記第２の転送データの前記内容が期待される内容と異なるとき、前記ダウンリンクチャネルの電力を増加させるよう構成される。
【００１８】
本発明の装置の別の態様では、電力を調整する前記手段は、受信された前記第２の転送データの前記内容が期待される内容と一致するとき、前記ダウンリンクチャネルの電力を減少させるよう構成される。
【００１９】
ＨＡＲＱ処理のフィードバック情報におけるエラーを検出し、この情報をフィードバックチャネルの電力を調整するために使用する装置および方法により、ダウンリンク方向のトラフィックのための電力を残したままデフォルトの電力設定を低減可能となる。例えば、ソフトハンドオーバにおいて電力オフセットは全リンクに対してではなく弱いリンクに対して適用が必要となるだけである。
【００２０】
本発明のさらなる他の目的および特徴は、その添付の図面とともに考慮される以下の詳細な説明から明らかになる。しかしながら、図面は単に説明のためであり本発明の範囲を定義するものではなく、参照は添付の請求の範囲によってなされるべきであることが理解されることになっている。さらに、図面は必ずしも一定の比率で描画されるわけではなく、特に明記しない限り、それらは単に本願明細書において、概念的に構造および手順を説明するのみであることは理解されるべきである。
【発明を実施するための最良の形態】
【００２１】
３ＧＰＰのような標準に基づくネットワークは、コアネットワーク（ＣＮ）、無線アクセスネットワーク（ＲＡＮ）、そして、例えばＵＭＴＳ地上無線アクセスネットワーク（ＵＴＲＡＮ）アーキテクチャのようなＲＡＮに接続するユーザ装置（ＵＥ）を含む。図１は、このような典型的なネットワークを示す図である。ＵＴＲＡＮは、１以上の無線ネットワーク制御装置（ＲＮＣ）１０およびＩｕｂインタフェースを介してＲＮＣ１０に接続している１以上のノードＢ１５を含む。ＵＴＲＡＮは、Ｉｕインタフェースを介してコアネットワーク１２に接続する。ＵＴＲＡＮおよびＣＮ１２は、複数のユーザ装置１８に通信および制御を提供する。
【００２２】
ノードＢ１５は、ユーザ装置１８とネットワークとの間の物理的な無線リンクを提供するＵＴＲＡＮ内の機能である。また、ノードＢ１５は、無線インタフェースにおけるデータの送信および受信についてＣＤＭＡシステムにおけるチャネルを表現するのに必要な符号を適用する。ノードＢ１５には、ユーザ装置がいつどのデータ速度で送信するかを制御するスケジューラが配置される。また、ハイブリッド自動再送要求（ＨＡＲＱ）も配置され、ノードＢ１５は誤って受信されたデータ要素の再送を素早く要求することが出来る。
【００２３】
本発明はＨＡＲＱ処理のためのフィードバック情報におけるエラーを検出し、フィードバックチャネルの電力を調整するためにこの情報を使用するための方法そして装置に関するものである。検出されたエラーにより必要な際に電力を高めるだけで、ダウンリンク方向トラフィックのためのより多くの電力を残したままデフォルトの電力設定を低くすることが出来る。
【００２４】
ノードＢ１５がＡＣＫを送信しユーザ装置１８が正しくＡＣＫを受信した場合、ユーザ装置１８はＨＡＲＱ処理の次の転送のために再送では無く新しいデータにより応答するべきである。ノードＢがＡＣＫを送信したにもかかわらずユーザ装置１８が再送の応答をする場合は、シグナリング・エラーががあるはずである。エラーの１つの理由は、ユーザ装置１８がＡＣＫをＮＡＣＫと誤判定したということである。これは、フィードバックチャネル１３の品質があまりに悪く、フィードバックチャネルの電力を増加しなければならないという徴候である。このエラーイベントを、ＡＣＫ／ＮＡＣＫフィードバック・チャネル１３の電力の増加に使用することが出来る。
【００２５】
本発明の好適な実施例によって、ノードＢ１５は、前の転送においてＨＡＲＱ処理が肯定応答されたにも関わらず再送が発生するイベントを監視する。更に、このエラーイベントの発生はフィードバックチャネル１３の電力を調整するために使用される。また、本発明は、高速共用制御チャネル（ＨＳ−ＳＣＣＨ）のような他のダウンリンク制御チャネルの電力を制御するために使用され得る。ＨＳ−ＳＣＣＨは、スケジュール情報およびダウンリンク方向トラフィックの転送フォーマットを含む高速ダウンリンク共用チャネル（ＨＳ−ＤＳＣＨ）の制御情報を送信するために使用される。好適には電力調整は、エラーイベントの各々の発生によりフィードバック電力の所定のステップ幅での増加あるいは所定のステップ幅の比率での緩やかな減少をトリガする”ジャンプ・アルゴリズム”を使用してなされる。
【００２６】
また、ノードＢ１５は電力を調整する際にＲＳＮ信号の信頼性を考慮できる。ＲＳＮ信号の信頼性が高い場合、ＡＣＫがＮＡＣＫとして解釈されＲＳＮ信号品質が低い場合に比較し電力増加が大きくあり得る。
【００２７】
ユーザ装置１８がソフトハンドオーバ中で無い場合も、エラーイベントを検出するためにＮＡＣＫのものが使用される。ノードＢ１５が転送に対してＮＡＣＫを送信し再送を受信しない場合、ＮＡＣＫはＡＣＫとして誤判定され得たかもしれない。このエラーイベントは、上述したＡＣＫｔｏＮＡＣＫエラーの場合と同様に、フィードバック・チャネル１３（上述のようにオプションで他のダウンリンクチャネルも）の電力調整に使用することが出来る。ソフトハンドオーバ中であっても、このような方法は、アップリンク信号品質が良好であると判断される場合にのみ使用され得る。例えば、信号対干渉比（ＳＩＲ）推定値がＳＩＲ目標に近い場合などである。高速電力制御コマンド（ＴＰＣ）上の統計量を信号品質を判断するために使用することも出来る。
【００２８】
本発明の好適な実施例において、検出されたエラーイベントがＲＮＣ１０への報告をトリガする。
【００２９】
移動通信ネットワークにおいて効率的な無線リソース割り当てを実現するための本発明のノードＢ１５内の装置であって、前記移動通信ネットワークはノードＢ１５と当該ノードＢ１５に無線インタフェースを介してデータを転送する少なくとも１つのユーザ装置１８とを含み、前記装置は、
−  拡張専用チャネル（Ｅ−ＤＣＨ）のようなアップリンクチャネル１４でユーザ装置１８から第１の転送データを受信する手段と、
−  前記第１の転送データを復号する手段および該復号の結果（すなわち、結果は成功または失敗の何れかである。）を取得する手段と、
−  前記少なくとも１つのユーザ装置から第２の転送データを受信する手段と、
−  受信した前記第１の転送データの復号の結果に基づいてダウンリンクチャネル１３でメッセージ（すなわち、メッセージはＡＣＫメッセージまたはＮＡＣＫメッセージの何れかである。）を送信する手段と、
−  Ｅ−ＤＣＨのようなアップリンクチャネル１４でユーザ装置１８から第２の転送データを受信する手段と、
−  前記第１の転送データの復号の結果（または復号の結果に基づく送信メッセージ）および受信した前記第２の転送データとに基づいて、前記ダウンリンクチャネル１３の電力を調整する手段と、
を備える。電力は、受信された前記第２の転送データの前記内容が期待される内容と異なるとき所定のステップ幅で増加され、受信された前記第２の転送データの前記内容が期待される内容と一致するとき所定のステップ幅で減少される。このように、送信されたメッセージがＡＣＫである場合、電力を調整する前記手段は、受信された前記第２の転送データが受信された前記第１の転送データの再送である場合に前記電力を増加させるよう構成される。同様に、送信されたメッセージがＮＡＣＫである場合、電力を調整する前記手段は、受信された前記第２の転送データが受信された前記第１の転送データと異なる場合（すなわち、転送は新しいデータを含んでいる。）に前記電力を増加させるよう構成される。一方、電力を調整する前記手段は、送信された前記メッセージがＡＣＫでありかつ受信された前記第２の転送データが新しい転送であるか、または、送信された前記メッセージはＮＡＣＫでありかつ受信された前記第２の転送データが受信された前記第１の転送データの再送である、場合に電力を減少させるよう構成される。ＲＳＮは、転送が再送であるか新規転送であるかを判定するために用いられる。
−  オプションで、受信された前記第２の転送データの前記内容が期待される内容と異なるときエラー報告を導出する手段と、エラー報告をＲＮＣ１０のような上位のネットワークエンティティに送信する手段と、を備える。
【００３０】
本発明の好適な実施態様において、移動通信ネットワークにおいて効率的な無線リソース割り当てを実現するための手順が図２に示され、前記移動通信ネットワークはノードＢと当該ノードＢに無線インタフェースを介してデータを転送する少なくとも１つのユーザ装置とを含む。ステップ２１では、ノードＢは、Ｅ−ＤＣＨのようなアップリンクチャネルによりユーザ装置から第１の転送データを受信する。第１の転送データは復号化され、復号の結果（すなわち、成功または失敗。）が得られる。転送が成功した場合、ノードＢはダウンリンクチャネルで第１の受信データ送信の復号の結果に基づく情報を含むメッセージ（すなわち、この場合のメッセージはＡＣＫ）を送信する（ステップ２２）。転送が失敗した場合、ノードＢはダウンリンクチャネルで第１の受信データ送信の復号の結果に基づく情報を含むメッセージ（すなわち、この場合のメッセージはＮＡＣＫ）を送信する（ステップ２３）。ノードＢは、第１の転送データの復号の結果または送信したメッセージ、および、受信した第２の転送データの内容に基づいて前記ダウンリンクチャネルの電力を調整する。
【００３１】
送信されたメッセージがＡＣＫである場合、ノードＢはステップ２４でユーザ装置から第２の転送データを受信し、第２の転送データの内容が新規の転送データであると予測する。すなわち、第２の転送データの内容は、第１の転送データの内容異なるはずである。これは、ＲＳＮに注目することによってチェックされる。このようにして、受信された第２の転送データが受信された第１の転送データの再送である場合、ステップ２６においてダウンリンクチャネルの電力は好適には所定のステップ幅だけ増加される。しかし、受信された第２の転送データが新規の送信である場合、ステップ２７においてダウンリンクチャネル上の電力は好適には所定のステップ幅の比率で緩やかに減少される。オプションで、ノードＢは、受信された前記第２の転送データの内容が期待される内容と異なるときエラー報告を導出し、エラー報告をＲＮＣ１０のような上位のネットワークエンティティに送信する。
【００３２】
送信されたメッセージがＮＡＣＫである場合、ノードＢはステップ２５でユーザ装置から第２の転送データを受信し、第２の転送データの内容が再送であると予測する。すなわち、前に転送されたデータの反復および／または前に転送されたデータに関連し当該前に転送されたデータに結合される付加的な冗長性（検査ビット）である。第２の転送が再送であるか否かは第２の転送のＲＳＮに注目することによってチェックされる。このようにして、受信された第２の転送データが新規の送信である場合、ステップ２６においてダウンリンクチャネルの電力は好適には所定のステップ幅だけ増加される。しかし、受信された第２の転送データが受信された第１の転送データの再送である場合、ステップ２７においてダウンリンクチャネル上の電力は好適には所定のステップ幅の比率で緩やかに減少される。なお、ＮＡＣＫのものは主にユーザ装置１８がソフトハンドオーバ中で無いときにエラーイベントを検出するために使用されることに注意する。オプションで、ノードＢは、受信された前記第２の転送データの内容が期待される内容と異なるときエラー報告を導出し、エラー報告をＲＮＣ１０のような上位のネットワークエンティティに送信する。
【００３３】
以上のように、本発明の本質的に新規の特徴を適用した好適な実施形態について示し記載し指摘した。形態、例示される装置の詳細、およびそれらの動作についてさまざまな省略、置換および変化が、当業者により本発明の精神から逸脱することなくなされ得ることは理解されるべきである。例えば、同じ結果を達成するために実質的に同じ方式で実質的に同じ機能を実行する要素および／または方法のステップのすべての組合せは本発明の範囲内にあることは明らかである。さらに、本発明のいかなる開示された形態または実施例と関連して示されおよび／または記載されている構造および／または要素および／または方法のステップは、デザイン選択の一般の要素として他の開示され、記述され、教示される形態または実施例に組み込まれ得ることは理解されるべきである。それゆえ、本明細書に添付される請求の範囲により示されるようにのみ意図は限定される。
【図面の簡単な説明】
【００３４】
【図１】本発明による通信ネットワークアーキテクチャの典型的なブロック図である。
【図２】ダウンリンク・フィードバック・チャネルの電力調整の発明の処理を示すフローチャートである。
【図１】
2009517967.tif 000003
【図２】
2009517967.tif 000004
【国際調査報告】
2009517967.tif 000005
2009517967.tif 000006
2009517967.tif 000007
2009517967.tif 000008